(57)【要約】    【課題】固定構造を簡素化しながら前板カバーを確実に固定でき、ヒンジの固定ブラケットと前板カバーとの間からの不正部材の挿入等を確実に防止できるようにする。    【解決手段】左右一対の縦板２２，２３と、上下一対の横板２４，２５と、左右の縦板２２，２３の下端前側にその両者に跨がって設けられた前板２６とを有する外枠２を備え、外枠２に遊技盤８を有する前枠５をヒンジ３，４により縦軸心廻りに開閉自在に装着し、前板２６を覆う前板カバー２７を前側から装着し、前板２６の略全面を前側から覆う前カバー部５２の上端縁から後方に屈曲して前板２６を上側から覆う上カバー部４７を前板２６の左右方向の略全長にわたって設け、ヒンジ４の固定ブラケット４４を上カバー部４７を挟んで前板２６に固定する。【選択図】    図４
2008206754.tif 000002
【特許請求の範囲】
【請求項１】
左右一対の縦板（２２）（２３）と、上下一対の横板（２４）（２５）と、左右の前記縦板（２２）（２３）の下端前側にその両者に跨がって設けられた前板（２６）とを有する外枠（２）を備え、該外枠（２）に遊技盤（８）を有する前枠（５）をヒンジ（３）（４）により縦軸心廻りに開閉自在に装着し、前記前板（２６）を覆う前板カバー（２７）を前側から装着した弾球遊技機において、前記前板（２６）の略全面を前側から覆う前カバー部（５２）の上端縁から後方に屈曲して前記前板（２６）を上側から覆う上カバー部（４７）を前記前板（２６）の左右方向の略全長にわたって設け、前記ヒンジ（４）の固定ブラケット（４４）を前記上カバー部（４７）を挟んで前記前板（２６）に固定したことを特徴とする弾球遊技機。
【請求項２】
前記上カバー部（４７）は前記固定ブラケット（４４）に対応する平坦部（５８）と、該平坦部（５８）よりも高い後ろ上がりの傾斜部（５９）とを有することを特徴とする請求項１に記載の弾球遊技機。
【請求項３】
前記前枠（５）は前記上カバー部（４７）に対応する左右方向に略水平な下辺部（１６）と、その下面側が前記下辺部（１６）の近傍から後方に突出する突出部（１８）とを備え、前記傾斜部（５９）は前記突出部（１８）に対応して高く形成され且つ前記前枠（５）を閉じたときに前記下辺部（１６）が接触又は近接する高傾斜面（６２）を有し、前記上カバー部（４７）の後端で前記高傾斜面（６２）以外の部分に、前記下辺部（１６）の後側で起立して該下辺部（１６）との間の隙間を塞ぐ起立壁（６４）を設けたことを特徴とする請求項１又は２に記載の弾球遊技機。
【請求項４】
前記突出部（１８）及び該突出部（１８）に対応する前記高傾斜面（６２）を前記ヒンジ（３）（４）よりも遠い遊端側に配置したことを特徴とする請求項３に記載の弾球遊技機。
【請求項５】
前記傾斜部（５９）は前記高傾斜面（６２）よりも低い低傾斜面（６３）を前記突出部（１８）以外の部分に対応して備え、該低傾斜面（６３）の後端に前記起立壁（６４）を設けたことを特徴とする請求項３又は４に記載の弾球遊技機。
【請求項６】
前記前板（２６）の裏面に、各縦板（２２）（２３）の内側に当接する当接部材（３６）と、該当接部材（３６）の上側で前記前板（２６）の上端に沿って略面一状に設けられ且つ両端が各縦板（２２）（２３）の内側に当接する補強部材（３５）とを備え、前記縦板（２２）（２３）の下端部を外側から前記当接部材（３６）及び前記補強部材（３５）にネジ（３７）で固定したことを特徴とする請求項１〜５の何れかに記載の弾球遊技機。
【請求項７】
前記ヒンジ（３）（４）と反対側の前記縦板（２３）は、内壁部（２９）と外壁部（３０）とを有する中空状の押し出し型材（２８）であり、前記内壁部（２９）に前記ネジ（３７）を挿通し、該ネジ（３７）の頭部（３７ａ）に対応する操作孔（３８）を前記外壁部（３０）に形成したことを特徴とする請求項１〜６の何れかに記載の弾球遊技機。
【発明の詳細な説明】
【技術分野】
【０００１】
本発明は、パチンコ機、アレンジボール機、雀球遊技機等の弾球遊技機、取り分けその外枠側の改良に関するものである。
【背景技術】
【０００２】
パチンコ機等の弾球遊技機には、従来、外枠の前側下部の前板に合成樹脂製の前板カバーを装着したものがある（特許文献１）。この外枠はベニヤ板等の木材により構成され、左右に対向して配置された一対の縦板と、上下に対向して配置された一対の横板とにより矩形枠状に組み立てられ、左右の縦板の下端部の前面にその両者に跨がって前板が固定されている。また外枠の左側には、遊技盤等が装着された前枠が上下のヒンジを介して縦軸心廻りに開閉自在に装着されている。
【０００３】
前板カバーは、前板に当接してその略全面を前側から覆う前カバー部と、この前カバー部の上端縁から後方に屈曲して前板を上側から覆う左右方向の上カバー部と、前カバー部の左右両端から後方に屈曲して前板を左右両側から覆う横カバー部とを備えている。前カバー部の裏側に後方に突出する圧入ピンと抜け止めピンとを設け、圧入ピンを前板の圧入孔に圧入する一方、抜け止めピンを前板の抜け止め孔に挿入して抜け止めすることにより、前板カバーを前板に固定するようにしている。
【０００４】
上カバー部には、ヒンジ用の固定ブラケットに対応する切り欠き部が形成されている。固定ブラケットは切り欠き部内で前板の上側にネジで固定されると共に、その後部側の取り付け部が縦板の内面にネジで固定されている。
【特許文献１】特開２００３−７９８９４号公報
【発明の開示】
【発明が解決しようとする課題】
【０００５】
従来は上カバー部の切り欠き部内で固定ブラケットをネジにより前板に固定し、これとは別に圧入ピンと抜け止めピンとにより、前板カバーを前板に取り付けているため、この前板カバーに圧入ピンの他に抜け止めピンを設ける必要があり、前板カバー側の構造が複雑になる欠点がある。
【０００６】
また前板カバーを固定するには、圧入ピンを大きな抵抗に抗して強力に圧入する一方、抜け止めピンを前板の裏側に確実にガタツキなく係合させて抜け止めする必要があり、圧入ピン、圧入孔等の寸法にバラツキがあれば、前板カバーを確実に固定できない惧れもある。
【０００７】
更にヒンジの固定ブラケットと前板カバーの上カバー部との間に隙間ができるため、その隙間から内部へとピアノ線その他の部材を挿入して、内部の機構に不正な操作、改変を加える不正行為を招く惧れがある。
【０００８】
本発明は、かかる従来の問題点に鑑み、固定構造を簡素化しながら前板カバーを確実に固定でき、ヒンジの固定ブラケットと前板カバーとの間からの不正部材の挿入等を確実に防止できる弾球遊技機を提供することを目的とする。
【課題を解決するための手段】
【０００９】
本発明は、左右一対の縦板２２，２３と、上下一対の横板２４，２５と、左右の前記縦板２２，２３の下端前側にその両者に跨がって設けられた前板２６とを有する外枠２を備え、該外枠２に遊技盤８を有する前枠５をヒンジ３，４により縦軸心廻りに開閉自在に装着し、前記前板２６を覆う前板カバー２７を前側から装着した弾球遊技機において、前記前板２６の略全面を前側から覆う前カバー部５２の上端縁から後方に屈曲して前記前板２６を上側から覆う上カバー部４７を前記前板２６の左右方向の略全長にわたって設け、前記ヒンジ４の固定ブラケット４４を前記上カバー部４７を挟んで前記前板２６に固定したものである。
【発明の効果】
【００１０】
本発明では、固定構造を簡素化しながら前板カバー２７を確実に固定でき、しかもヒンジ４の固定ブラケット４４と前板カバー２７との間からの不正部材の挿入等を確実に防止できる利点がある。
【発明を実施するための最良の形態】
【００１１】
以下、本発明の実施例を図面に基づいて詳細に説明する。図１〜図１１は本発明の第１の実施例を示し、図１、図２において、１は遊技機本体であり、矩形枠状の外枠２と、この外枠２の左側の上下一対のヒンジ３，４を介して縦軸心廻りに開閉自在及び着脱自在に枢着された前枠５とを備えている。前枠５にはガラス扉６及び前面扉７がヒンジ３，４と略同一軸心廻りに開閉自在に装着され、ガラス扉６の裏側に遊技盤８が着脱自在に装着されている。
【００１２】
遊技盤８の前面には、発射手段９から発射された遊技球を案内するガイドレール１０が環状に装着され、そのガイドレール１０の内側の遊技領域内に図柄表示手段、図柄始動手段、可変入賞手段、普通入賞手段等（何れも図示省略）の複数の遊技部品が装着されている。
【００１３】
前面扉７には、発射用の遊技球を貯留するための供給皿１１が装着され、この供給皿１１の側方に発射手段９の発射ハンドル１２が配置されている。発射手段９は、前面扉７の裏側で前枠５の下部に配置された支持板１３の略中央に装着されており、発射ハンドル１２を操作したときに駆動される打撃槌１４により、供給皿１１から発射レール１５上に供給される遊技球を打撃して遊技盤８のガイドレール１０側へと発射させるようになっている。
【００１４】
前枠５は合成樹脂製の矩形状であって、下端に左右方向に略水平な下辺部１６を有し、遊技盤８の下側から下辺部１６の間に支持板１３が一体に形成されている。そして、この支持板１３の左右方向の略中央に発射手段９が配置され、また発射ハンドル１２の裏側に対応して配置されたスピーカユニット１７を着脱自在に保持するケース部１８が一体に形成されている。なお、スピーカユニット１７、ケース部１８は発射手段９に対してヒンジ３，４と反対の遠い側である遊端側に配置されている。
【００１５】
ケース部１８は図２、図９に示すように前側が開口する箱状であって、その底壁１９は下辺部１６の下面近傍から後ろ上がりに傾斜状に形成されている。スピーカユニット１７はスピーカ２０と、このスピーカ２０を収容するスピーカキャビネット２１とを備え、ケース部１８内でネジ等により着脱自在に固定されている。
【００１６】
外枠２は図１、図３〜図９に示すように、左右に相対向して配置された一対の縦板２２，２３と、上下に相対向して配置された一対の横板２４，２５と、左右の縦板２２，２３の下端側の前側にその両者に跨がって設けられた前板２６とを備え、その前板２６の前側に着脱可能に前板カバー２７が装着されている。外枠２は右側の縦板２３にアルミ合金製等の押し出し型材２８が使用されており、この縦板２３を除く他の部材は木製合板等により構成されている。
【００１７】
押し出し型材２８は、図３〜図５、図１０、図１１に示すように、内壁部２９と外壁部３０とを有する中空状であり、その外壁部３０は平坦状に形成されている。内壁部２９は縦板２３自体の前部が薄くなり、後部が他方の縦板２２と略同じ程度に厚くなり、中間部が両者の中間程度の厚さとなるように２個の段部３１を介して屈曲している。そして、前の段部３１の内側、後の段部３１の外側に夫々Ｃ字状のネジ螺合部３３が一体に設けられている。
【００１８】
前板２６の裏面側には、図４〜図９に示すように、その下部に下側の横板２５が、上部に補強部材３５が夫々接着等により固定され、また横板２５と補強部材３５との間に当接部材３６が接着等で固定されている。当接部材３６の上下両端は、横板２５、補強部材３５に接着等により固定されている。横板２５、前板２６、補強部材３５、当接部材３６は略同程度の厚さを有し、前板２６と補強部材３５との上面は略面一で水平状に形成されている。
【００１９】
各縦板２２，２３は、図５（ｂ）、図１０に示すように、外側から螺合するネジ３７により補強部材３５と当接部材３６とに当接して固定されている。そして、右側の縦板２３では、図１０に示すように、押し出し型材２８の内壁部２９にネジ３７が挿通され、そのネジ３７の頭部３７ａに対応してまる孔等の操作孔３８が外壁部３０に形成されている。上下の横板２４，２５は、左側の縦板２２に対しては上下方向の外側から打ち込まれた釘（図示省略）により固定され、また右側の縦板２３に対しては図１１に示すように上下方向の外側からネジ螺合部３３に螺合するネジ３９により固定されている。
【００２０】
前板２６の下面側には、図３、図４、図６〜図９に示すように、前後方向の略中央部に浅い広幅の溝４０が形成されており、この溝４０の前後両側に、溝４０の深さに相当する突条部４１が形成されている。溝４０、突条部４１は横板２５の左右方向の略全長にわたっている。従って、遊技島の受け枠４２上に外枠２を載置して釘等の固定具４３で固定するに際しても、下側の横板２５の下面に溝４０、突条部４１があるため、下側の横板２５の下面が平坦状である場合に比較して外枠２の安定性が良好になる。
【００２１】
上下一対のヒンジ３，４は外枠２の左側に配置されている。ヒンジ３，４は、図３に下側を例示するように、外枠２に固定された固定ブラケット４４と、前枠５に固定され且つ固定ブラケット４４上にヒンジピン４５廻りに回動自在に支持される可動ブラケット４６とを備えている。
【００２２】
下側のヒンジ４の固定ブラケット４４は、図３、図４、図８に示すように、左側の縦板２２と前板２６との隅部分に略水平状に配置されており、前後方向の中間部が前板カバー２７の上カバー部４７を挟んで前板２６にネジ４８により固定されると共に、後端から起立する取り付け部４９が複数個のネジ５０により縦板２２に固定されている。
【００２３】
なお、各ヒンジ３，４は前枠５の前側にヒンジピン４５を有する。なお、下側のヒンジ４では、固定ブラケット４４に上向きのヒンジピン４５が、可動ブラケット４６にヒンジピン４５用のピン孔５１が形成されている。
【００２４】
前板カバー２７は、図３〜図９に示すように、前板２６の略全面を前側から覆う前カバー部５２と、この前カバー部５２の上端縁から後方に屈曲して前板２６の略全体を上側から覆う上カバー部４７と、前カバー部５２の左右両端から後方に、上カバー部４７の左右両端から下方に夫々屈曲して前板２６を横から覆う横カバー部５３と、前カバー部５２の下端から後方に屈曲して前板２６の前面に当接する下端縁５４とを一体に備えている。
【００２５】
前カバー部５２の裏面には、下端縁５４と略同高さで前板２６の前面に当接する補強用の縦リブ５５及び横リブ５６が縦横に形成され、左右方向に複数箇所の縦リブ５５と横リブ５６との交差部に、後方に突出する圧入ピン５７が一体に形成されている。圧入ピン５７は、例えば左右方向の中央とその左右両側とに３個設けられており、その各圧入ピン５７が前板２６に形成された３個の圧入孔６５に前側から圧入されている。なお、圧入ピン５７は前板２６の板厚よりも短くなっている。
【００２６】
上カバー部４７は、前板２６の左右方向の略全長にわたって設けられており、前枠５の下辺部１６に下側から対向している。この上カバー部４７は、その左端側にヒンジ４の固定ブラケット４４に対応して設けられた平坦部５８と、この平坦部５８よりも右側（前枠５の遊端側）の略全体に跨がって設けられ且つ平坦部５８の上面よりも高い後上がりの傾斜状に形成された傾斜部５９とを有する。平坦部５８は固定ブラケット４４の取り付け孔６０に対応する取り付け孔６１を有し、その取り付け孔６０，６１から前枠５に螺合するネジ４８により固定ブラケット４４と共締めで前板２６に固定されている。
【００２７】
傾斜部５９は、前枠５のケース部１８の下面に対応して上側に高く形成された高傾斜面６２と、ケース部１８以外の部分に対応して高傾斜面６２の両側に形成された低傾斜面６３とを有し、その低傾斜面６３の後端に起立壁６４が設けられている。高傾斜面６２は前枠５を閉じたときに、前枠５の下面との隙間が少なくなるようにケース部１８の左右幅に対応して設けられている。起立壁６４は前枠５を閉じたときに、前枠５の下辺部１６の後側近傍から起立して下辺部１６との隙間を塞ぐもので、平坦部５８及び高傾斜面６２を除く部分に左右方向に設けられている。
【００２８】
起立壁６４は前枠５の下辺部１６に対して上下に重なるが、高傾斜面６２の後端部は、前枠５を閉じたときに前枠５の下辺部１６の後端が接触または近接するように、起立壁６４の高さよりも低くなっている。なお、高傾斜面６２は前枠５の遊端側が下がった場合に、前枠５の開閉時にその下辺部１６を案内できるようになっている。また高傾斜面６２の傾斜角度を低傾斜面６３よりも大にしているが、両者の傾斜角度は同じにしてもよい。
【００２９】
この実施例では、次のような利点がある。即ち、前板カバー２７には、前板２６の略全面を前側から覆う前カバー部５２の上端縁から後方に屈曲して前板２６を上側から覆う上カバー部４７を前板２６の左右方向の略全長にわたって設け、ヒンジ３，４の固定ブラケット４４を上カバー部４７を挟んで前板２６に固定しているので、前板カバー２７を簡単な圧入方式で前板２６に装着しても確実に固定することができ、固定構造を簡素化しながら前板カバー２７を確実に固定できる利点がある。またヒンジ３，４の固定ブラケット４４と前板カバー２７との間に隙間が発生しないので、固定ブラケット４４と前板カバー２７との間からの不正部材の挿入等を確実に防止できる。
【００３０】
上カバー部４７には固定ブラケット４４に対応する平坦部５８があるため、前板２６と固定ブラケット４４との間で上カバー部４７を確実に挟持できる。しかも、上カバー部４７には平坦部５８以外の略全体に、平坦部５８よりも高い後ろ上がりの傾斜部５９を設けているので、前枠５を閉じるときにその下辺部１６が上カバー部４７に引っ掛かるような問題も生じ難くなる。
【００３１】
上カバー部４７の傾斜部５９に、前枠５を閉じたときに下辺部１６が接触又は近接する高傾斜面６２をケース部１８に対応して形成し、上カバー部４７の後端で高傾斜面６２以外の部分に、下辺部１６の後側で起立して下辺部１６との間の隙間を塞ぐ起立壁６４を設けているため、前枠５の下辺部１６の近傍から後方に突出するケース部１８があるにも拘わらず、前枠５の下辺部１６と上カバー部４７との隙間の発生を極力少なくすることができる。
【００３２】
傾斜部５９にはケース部１８以外の部分に対応して高傾斜面６２よりも低い低傾斜面６３を形成し、この低傾斜面６３の後端に起立壁６４があるので、ケース部１８以外の部分では、前枠５の下辺部１６と上カバー部４７との隙間を起立壁６４により確実に塞ぐことができる。
【００３３】
前板２６の裏面に、各縦板２２，２３の内側に当接する当接部材３６と、この当接部材３６の上側で前板２６の上端に沿って略面一状に設けられ且つ両端が各縦板２２，２３の内側に当接する補強部材３５とを備え、縦板２２，２３の下端部を外側から当接部材３６及び補強部材３５にネジ３７で固定することにより、外枠２の下部側の剛性を容易に確保できる。
【００３４】
ヒンジ３，４と反対側の縦板２３を、内壁部２９と外壁部３０とを有する中空状の押し出し型材２８により構成しているので、アルミ合金等の押し出し型材２８を使用することが可能であり、木製合板の場合に比較して、その縦板２２，２３の厚さを薄くしながら所定の強度、剛性を容易に確保することができる。
【００３５】
また内壁部２９にネジ３７を挿通し、そのネジ３７の頭部に対応する操作孔３８を外壁部３０に形成しているので、中空状の押し出し型材２８を使用しているにも拘わらず、その中空形状を損なうことなく縦板２２，２３を前板２６側に固定できる。
【００３６】
図１２は本発明の第２の実施例を例示する。この実施例では、傾斜部５９は平坦部５８と遊端側の縦板２２，２３との間が略同一角度の傾斜面となっており、この傾斜面の後端側に、その左右方向の全長に跨がって起立壁６４が形成されている。
【００３７】
前枠５の下部に、その下辺部１６の近傍から後方に突出するケース部１８等がない場合には、このように起立壁６４で上カバー部４７と前枠５との隙間を塞ぐようにすればよい。
【００３８】
以上、本発明の各実施例について詳述したが、本発明は各実施例に限られるものではなく種々の変更が可能である。例えば、前枠５の下部に、その下辺部１６の下面近傍から後方に突出するケース部１８を設ける場合、その底壁１９は後ろ上がりに傾斜させることが望ましいが、ケース部１８の底壁１９が高傾斜面６２の前端等に引っ掛からない構造であれば、底壁１９は水平状でもよい。また突出部としてケース部１８を例示しているが、ケース部１８以外のものでもよい。
【００３９】
前枠５の下辺部１６と前板カバー２７の上カバー部４７は、前枠５を閉じるときに、上カバー部４７の傾斜部５９で前枠５の下辺部１６を案内しながら、上カバー部４７上へと案内するようにしてもよい。前板カバー２７の下縁部は前板２６の下側まで延ばしてもよい。前板カバー２７を前板２６に装着する手段としては、圧入方式が適当であるが、その構造が実施例に例示のものに限定されることはない。その他、本発明はパチンコ機に限らず、アレンジボール、雀球遊技機等の各種の弾球遊技機でも同様に実施することができる。  
【図面の簡単な説明】
【００４０】
【図１】本発明の第１の実施例を示すパチンコ機の斜視図である。
【図２】遊技機本体の正面図である。
【図３】外枠下部の斜視図である。
【図４】外枠下部の分解斜視図である。
【図５】（ａ）は外枠下部の平面断面図、（ｂ）は外枠下部の正面図である。
【図６】図５のＡ矢視拡大断面図である。
【図７】図５のＢ矢視拡大断面図である。
【図８】図５のＣ矢視拡大断面図である。
【図９】図２のＤ矢視拡大断面図である。
【図１０】縦板固定部の平面断面図である。
【図１１】縦板固定部の正面断面図である。
【図１２】本発明の第２の実施例を示す外枠下部の斜視図である。
【符号の説明】
【００４１】
２  外枠
５  前枠
８  遊技盤
３，４  ヒンジ
１６  下辺部
１８  ケース部（突出部）
２２，２３  縦板
２４，２５  横板
２６  前板
２７  前板カバー
２８  押し出し型材
２９  内壁部
３０  外壁部
３５  補強部材
３６  当接部材
３７  ネジ
３８  操作孔
４４  固定ブラケット
４７  上カバー部
５８  平坦部
５９  傾斜部
６２  高傾斜面
６３  低傾斜面
６４  起立壁
【図１】
2008206754.tif 000003
【図２】
2008206754.tif 000004
【図３】
2008206754.tif 000005
【図４】
2008206754.tif 000006
【図５】
2008206754.tif 000007
【図６】
2008206754.tif 000008
【図７】
2008206754.tif 000009
【図８】
2008206754.tif 000010
【図９】
2008206754.tif 000011
【図１０】
2008206754.tif 000012
【図１１】
2008206754.tif 000013
【図１２】
2008206754.tif 000014